【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
方法において、
システム情報ブロック（ＳＩＢ）を受信することと、ここにおいて、前記ＳＩＢはフェムトセル使用のために確保される１組の識別子を示しており、
ユーザ機器（ＵＥ）が、少なくとも１つのフェムトセルにアクセスすることを許可されるかどうかを決定することと、
前記ＵＥが少なくとも１つのフェムトセルにアクセスすることを許可されることに応答して、フェムトセル使用のために確保される前記１組の識別子を使用しているフェムトセルをサーチすることと、
前記ＵＥが少なくとも１つのフェムトセルにアクセスすることを許可されないことに応答して、フェムトセル使用のために確保される前記１組の識別子の内の識別子を割り当てられるセルを無視することと、
を含む方法。
【請求項２】
ユーザ機器（ＵＥ）のローカルメモリにフェムトセル使用のために確保される前記１組の識別子を格納することをさらに含む請求項１記載の方法。
【請求項３】
前記識別子は、スクランブリングコードまたは物理セル識別子を含む請求項１記載の方法。
【請求項４】
システム情報ブロック（ＳＩＢ）を受信し、ここにおいて、前記ＳＩＢはフェムトセル使用のために確保される１組の識別子を示ししており、
ユーザ機器（ＵＥ）が、少なくとも１つのフェムトセルにアクセスすることを許可されるかどうかを決定し、
前記ＵＥが少なくとも１つのフェムトセルにアクセスすることを許可されることに応答して、フェムトセル使用のために確保される前記１組の識別子を使用しているフェムトセルをサーチし、
前記ＵＥが少なくとも１つのフェムトセルにアクセスすることを許可されないことに応答して、フェムトセル使用のために確保される前記１組の識別子の内の識別子を割り当てられるセルを無視するように構成された少なくとも１つのプロセッサ
を含むワイヤレス通信装置。
【請求項５】
前記少なくとも１つのプロセッサは、ユーザ機器（ＵＥ）のローカルメモリに、フェムトセル使用のために確保される前記１組の識別子を格納するようにさらに構成されている請求項４記載のワイヤレス通信装置。
【請求項６】
前記識別子は、スクランブリングコードまたは物理セル識別子を具備する請求項４記載のワイヤレス通信装置。
【請求項７】
システム情報ブロック（ＳＩＢ）を受信する手段と、ここにおいて、前記ＳＩＢはフェムトセル使用のために確保される１組の識別子を示しており、
ユーザ機器（ＵＥ）が、少なくとも１つのフェムトセルにアクセスすることを許可されるかどうかを決定する手段と、
前記ＵＥが少なくとも１つのフェムトセルにアクセスすることを許可されることに応答して、フェムトセル使用のために確保される前記１組の識別子を使用しているフェムトセルをサーチする手段と、
前記ＵＥが少なくとも１つのフェムトセルにアクセスすることを許可されないことに応答して、フェムトセル使用のために確保される前記１組の識別子の内の識別子を割り当てられるセルを無視する手段と、
を具備するワイヤレス通信装置。
【請求項８】
ユーザ装置（ＵＥ）のローカルメモリに、フェムトセル使用のために確保される前記１組の識別子を格納するための手段をさらに具備する請求項７記載のワイヤレス通信装置。
【請求項９】
前記識別子は、スクランブリングコードまたは物理セル識別子を具備する請求項７記載のワイヤレス通信装置。
【請求項１０】
少なくとも１つのコンピュータに、システム情報ブロック（ＳＩＢ）を受信させるためのコードと、ここにおいて、前記ＳＩＢはフェムトセル使用のために確保される１組の識別子を示しており、
前記少なくとも１つのコンピュータに、ユーザ機器（ＵＥ）が少なくとも１つのフェムトセルにアクセスすることを許可されるかどうかを決定させるためのコードと、
前記少なくとも１つのコンピュータに、前記ＵＥが少なくとも１つのフェムトセルにアクセスすることを許可されることに応答して、フェムトセル使用のために確保される前記１組の識別子を使用しているフェムトセルをサーチさせるためのコードと、
前記少なくとも１つのコンピュータに、前記ＵＥが少なくとも１つのフェムトセルにアクセスすることを許可されないことに応答して、フェムトセル使用のために確保される前記１組の識別子の内の識別子を割り当てられるセルを無視させるためのコードと、
を具備するコンピュータ読取り可能媒体を具備するコンピュータプログラムプロダクト。
【請求項１１】
前記コンピュータ読み取り可能媒体は、前記少なくとも１つのコンピュータに、ユーザ機器（ＵＥ）のローカルメモリにフェムトセル使用のために確保される前記１組の識別子を格納させるためのコードをさらに具備する請求項１０記載のコンピュータプログラムプロダクト。
【請求項１２】
前記識別子は、スクランブリングコードまたは物理セル識別子を具備する請求項１０記載のコンピュータプログラムプロダクト。
【請求項１３】
マクロセル使用のために確保される第１の組の識別子を識別することと、
フェムトセル使用のために確保される第２の組の識別子を識別することと、ここにおいて、前記第２の組のメンバーである識別子は前記第１の組のメンバーでなく、
システム情報ブロック（ＳＩＢ）にフェムトセル使用のために確保される前記第２の組の識別子をブロードキャストすることと、
を含む方法。
【請求項１４】
前記識別子は、スクランブリングコードまたは物理セル識別子を含む請求項１３記載の方法。
【請求項１５】
マクロセル使用のために確保される第１の組の識別子を識別し、
フェムトセル使用のために確保される第２の組の識別子を識別し、ここにおいて、前記第２の組のメンバーである識別子は前記第１の組のメンバーでなく、
システム情報ブロック（ＳＩＢ）にフェムトセル使用のために確保される前記第２の組の識別子をブロードキャストする
ように構成された少なくとも１つのプロセッサ
を具備するワイヤレス通信装置。
【請求項１６】
前記識別子は、スクランブリングコードまたは物理セル識別子を具備する請求項１５記載のワイヤレス通信装置。
【請求項１７】
マクロセル使用のために確保される第１の組の識別子を識別するための手段と、
フェムトセル使用のために確保される第２の組の識別子を識別するための手段と、ここにおいて、前記第２の組のメンバーである識別子は前記第１の組のメンバーでなく、
システム情報ブロック（ＳＩＢ）にフェムトセル使用のために確保される前記第２の組の識別子をブロードキャストするための手段と
を具備するワイヤレス通信装置。
【請求項１８】
前記識別子は、スクランブリングコードまたは物理セル識別子を具備する請求項１７記載のワイヤレス通信装置。
【請求項１９】
少なくとも１つのコンピュータに、マクロセル使用のために確保される第１の組の識別子を識別させるためのコードと、
前記少なくとも１つのコンピュータに、フェムトセル使用のために確保される第２の組の識別子を識別させるためのコードと、ここにおいて、前記第２の組のメンバーである識別子は前記第１の組のメンバーでなく、
前記少なくとも１つのコンピュータに、システム情報ブロック（ＳＩＢ）にフェムトセル使用のために確保される前記第２の組の識別子をブロードキャストさせるためのコードと
を具備するコンピュータ読取り可能媒体を具備するコンピュータプログラムプロダクト。
【請求項２０】
前記識別子は、スクランブリングコードまたは物理セル識別子を具備する請求項１９記載のコンピュータプログラムプロダクト。
【手続補正２】
【補正対象書類名】明細書
【補正対象項目名】００９０
【補正方法】変更
【補正の内容】
【００９０】
先の開示は、実例となる観点および／または実施形態を論じているが、特許請求の範囲により規定される、記述した観点および／または実施形態の範囲から逸脱することなく、さまざまな変更および修正を実施できることに注目すべきである。さらに、記述した観点および／または実施形態の要素は、単数で記述または請求されているかもしれないが、単数への制限が明示的に述べられていない限り、複数が考えられる。さらに、特に述べていない限り、何らかの観点および／または実施形態のすべてまたは一部を、他の何らかの観点および／または実施形態のすべてまたは一部とともに利用してもよい。
以下に、本願出願の当初の特許請求の範囲に記載された発明を付記する
［１］
方法において、
階層構造を利用して、少なくとも１つのノード基地局（ノードＢ）と、少なくとも１つのホームノード基地局（ホームノードＢ）とを組織し、前記階層構造は、ノードＢよりもホームノードＢを優先させることと、
ノードＢと、ホームノードＢとのうちの少なくとも１つから、システム情報ブロック（ＳＩＢ）に関連したデータの一部を受信し、前記ＳＩＢは、ユーザ機器（ＵＥ）が前記ホームノードＢを発見することを可能にするように構成されていることと、
ホームノードＢに関連した検出通知をマクロネットワークに伝達することと、
前記階層構造と、前記ＳＩＢに関連したデータの一部とのうちの少なくとも１つを用いて、前記ホームノードＢまたは前記ノードＢから前記ＵＥが選択することを可能にすることとを含む方法。
［２］
前記ＵＥにより手動のサーチを利用して、前記ホームノードＢを発見することをさらに含む上記［１］記載の方法。
［３］
モビリティファクターと、ペナルティタイマーとにより、前記ホームノードＢに対するサーチと、前記ホームノードＢの選択とを制御することをさらに含む上記［１］記載の方法。
［４］
前記ホームノードＢに対する第１の公衆陸上移動ネットワーク識別（ＰＬＭＮＩＤ）の割振りと、前記ノードＢを含むマクロネットワークに対する、第２の公衆陸上移動ネットワーク識別（ＰＬＭＮＩＤ）の割振りとを受信し、前記第１のＰＬＭＮＩＤの割振りは、前記第２のＰＬＭＮＩＤの割振りよりも優先されることと、
前記第１のＰＬＭＮＩＤの割振りと、前記第２のＰＬＭＮＩＤの割振りとを利用して、前記ホームノードＢまたは前記ノードＢから選択することとをさらに含む上記［１］記載の方法。
［５］
２以上の同等のＰＬＭＮＩＤをダイナミックに更新して、前記ＵＥがホームノードＢをサーチすることを可能にすることをさらに含む上記［４］記載の方法。
［６］
位置領域コード（ＬＡＣ）の割当てを受信することをさらに含み、前記ＬＡＣの割当ては、許可されているホームノードＢを許可されていないホームノードＢと区別するために用いられる上記［１］記載の方法。
［７］
選択されたホームノードＢに対するＰＬＭＮＩＤを受信し、前記ＵＥは、前記選択されたホームノードＢとの接続を確立していたことと、
前記選択されたホームノードＢに関係するＰＬＭＮＩＤを追跡することと、
前記追跡されたＰＬＭＮＩＤを利用して、第１のホームノードＢおよび第２のホームノードＢから選択することと、
前記追跡されたＰＬＭＮＩＤに基づいて、前記第１のホームノードＢと、前記第２のホームノードＢとのうちの少なくとも１つに接続することとをさらに含む上記［１］記載の方法。
［８］
ホームノードＢに関係するスクランブリングコードを受信することと、
ノードＢに関係するスクランブリングコードを受信することと、
受信したスクランブリングコードを評価して、新しいＳＩＢまたは既存のＳＩＢを識別することと、
前記評価を利用して、ノードＢをサーチすることと、
前記評価を利用して、ホームノードＢに対するサーチを防ぐこととをさらに含む上記［１］記載の方法。
［９］
ワイヤレス通信装置において、
少なくとも１つのノード基地局（ノードＢ）と、少なくとも１つのホームノード基地局（ホームノードＢ）とを、ノードＢよりもホームノードＢを優先させる階層構造に組織し、
ノードＢと、ホームノードＢとのうちの少なくとも１つから、システム情報ブロック（ＳＩＢ）を含む通信を受信し、
前記ホームノードＢを識別するためにＳＩＢを活用し、
ＵＥによる手動のサーチを利用して、前記ホームノードＢを発見し、
ＰＬＭＮＩＤを評価して、前記ホームノードＢと、前記ノードＢとのうちの少なくとも１つを識別し、
ＬＡＣの割当てを受信して、許可されているホームノードＢを許可されていないホームノードＢと区別し、
ホームノードＢに関連した検出通知をマクロネットワークに伝達し、
前記階層構造と、前記ＳＩＢに関連したデータの一部と、前記ＰＬＭＮＩＤと、前記手動のサーチと、前記ＬＡＣの割当てとのうちの少なくとも１つを用いて、前記ホームノードＢまたは前記ノードＢから前記ＵＥが選択することを可能にするように構成されている、
少なくとも１つのプロセッサと、
前記少なくとも１つのプロセッサに結合されているメモリとを具備するワイヤレス通信装置。
［１０］
選択されたホームノードＢに対するＰＬＭＮＩＤを受信し、前記ＵＥは、前記選択されたホームノードＢとの接続が確立されていたものであり、
前記選択されたホームノードＢに関係するＰＬＭＮＩＤを追跡し、
前記追跡されたＰＬＭＮＩＤを利用して、第１のホームノードＢおよび第２のホームノードＢから選択し、
前記追跡されたＰＬＭＮＩＤに基づいて、前記第１のホームノードＢと、前記第２のホームノードＢとのうちの少なくとも１つに接続するように構成されている少なくとも１つのプロセッサをさらに具備する上記［９］記載のワイヤレス通信装置。
［１１］
ホームノードＢに関係するスクランブリングコードを受信し、
ノードＢに関係するスクランブリングコードを受信し、
受信したスクランブリングコードを評価して、新しいＳＩＢまたは既存のＳＩＢを識別し、
前記評価を利用して、ノードＢをサーチし、または、
前記評価を利用して、ホームノードＢに対するサーチを防ぐように構成されている少なくとも１つのプロセッサをさらに具備する上記［９］記載のワイヤレス通信装置。
［１２］
装置において、
ホームノード基地局（ホームノードＢ）と、マクロ基地局に関係するノード基地局（ノードＢ）とのうちの少なくとも１つに関連したデータの一部を受信する手段と、
前記データの一部を評価してホームノードＢおよびノードＢ間の優先順位を識別する手段と、
前記評価に基づいて、ノードＢよりも、ＵＥの接続に対してホームノードＢを選択する手段と、
前記選択に基づいて、前記ホームノードBと、前記ノードＢとのうちの少なくとも１つにＵＥを接続する手段とを具備する装置。
［１３］
前記データの一部は、ホームノードＢに対するＳＩＢと、ノードＢに対するＳＩＢとのうちの少なくとも１つである上記［１２］記載の装置。
［１４］
前記ホームノードＢに対するＳＩＢは、前記ノードＢに対するＳＩＢよりも接続に対して優先される上記［１２］記載の装置。
［１５］
前記データの一部は、前記マクロネットワークに対するＰＬＭＮＩＤと、ホームノードＢに対するＰＬＭＮＩＤとのうちの少なくとも１つである上記［１２］記載の装置。
［１６］
前記ホームノードＢに対するＰＬＭＮＩＤは、前記マクロネットワークに対するＰＬＭＮＩＤよりも接続に対して優先される上記［１２］記載の装置。
［１７］
前記データの一部は、ホームノードＢに対するＬＡＣと、ノードＢに対するＬＡＣとのうちの少なくとも１つである上記［１２］記載の装置。
［１８］
前記ホームノードＢに対するＬＡＣは、前記ノードＢに対するＬＡＣよりも接続に対して優先される上記［１２］記載の装置。
［１９］
コンピュータプログラムプロダクトにおいて、
少なくとも１つのコンピュータに、少なくとも１つのノード基地局（ノードＢ）と、少なくとも１つのホームノード基地局（ホームノードＢ）とを、ノードＢよりもホームノードＢを優先させる階層構造に組織させるためのコードと、
少なくとも１つのコンピュータに、ノードＢと、ホームノードＢとのうちの少なくとも１つから、システム情報ブロック（ＳＩＢ）を含む通信を受信させるためのコードと、
少なくとも１つのコンピュータに、前記ホームノードＢを識別するためにＳＩＢを活用させるためのコードと、
少なくとも１つのコンピュータに、ＵＥによる手動のサーチを利用して前記ホームノードＢを発見させるためのコードと、
少なくとも１つのコンピュータに、ＰＬＭＮＩＤを評価して前記ホームノードＢと前記ノードＢとのうちの少なくとも１つを識別させるためのコードと、
少なくとも１つのコンピュータに、ＬＡＣの割当てを受信して、許可されているホームノードＢを許可されていないホームノードＢと区別させるためのコードと、
少なくとも１つのコンピュータに、ホームノードＢに関連した検出通知をマクロネットワークに伝達させるためのコードと、
少なくとも１つのコンピュータに、前記階層構造と、前記ＳＩＢに関連したデータの一部と、前記ＰＬＭＮＩＤと、前記手動のサーチと、前記ＬＡＣの割当てとのうちの少なくとも１つを用いて前記ホームノードＢまたは前記ノードＢから前記UEが選択することを可能にさせるためのコードと、
を備えるコンピュータ読取り可能媒体を具備するコンピュータプログラムプロダクト。
［２０］
少なくとも１つのコンピュータに、選択されたホームノードＢに対するＰＬＭＮＩＤを受信させるためのコードであって、前記ＵＥは、前記選択されたホームノードＢとの接続を確立していたコードと、
少なくとも１つのコンピュータに、前記選択されたホームノードＢに関係するＰＬＭＮＩＤを記録させるためのコードと、
少なくとも１つのコンピュータに、前記記録されたＰＬＭＮＩＤを利用して、第１のホームノードＢおよび第２のホームノードＢから選択させるためのコードと、
少なくとも１つのコンピュータに、前記記録されたＰＬＭＮＩＤに基づいて、前記第１のホームノードＢと、前記第２のホームノードＢとのうちの少なくとも１つに接続させるためのコードと、
を備えるコンピュータ読取り可能媒体をさらに具備する上記［１９］記載のコンピュータプログラムプロダクト。
［２１］
少なくとも１つのコンピュータに、新しいＳＩＢまたは既存のＳＩＢのうちの少なくとも１つにより、ホームノードＢを割り当てさせるためのコードと、
少なくとも１つのコンピュータに、ホームノードＢまたはノードＢのうちの少なくとも１つに関係するスクランブリングコードを受信させるためのコードと、
少なくとも１つのコンピュータに、前記受信したスクランブリングコードに基づいて、ノードＢをサーチさせるためのコードと、
少なくとも１つのコンピュータに、前記受信したスクランブリングコードに基づいて、ホームノードＢに対するサーチを防がせるためのコードと、
を備えるコンピュータ読取り可能媒体をさらに具備する上記［１９］記載のコンピュータプログラムプロダクト。
［２２］
装置において、
データの一部を受信するモジュールであって、前記データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである受信機モジュールと、
前記受信したデータの一部に基づいて、接続のためのホームノードＢと、接続のためのノードＢとのうちの少なくとも１つを識別するモジュールであって、前記識別されたホームノードＢを、マクロネットワークに伝達する選択モジュールと、
ユーザにより開始される手動のリクエストに基づいて、少なくとも１つのホームノードＢを発見するジュールであって、前記発見は、前記データの一部を活用するサーチモジュールとを具備する装置。
［２３］
前記ノードＢよりも、接続に対して前記ホームノードＢを優先させるオーガナイザーモジュールをさらに具備する上記［２２］記載の装置。
［２４］
方法において、
ユーザ機器（ＵＥ）から、ホームノード基地局（ホームノードＢ）に関係する検出通知を受信し、前記検出通知は、接続のためのホームノードＢを識別することと、
少なくとも１つのノード基地局（ノードＢ）と、前記少なくとも１つのホームノードＢとを、前記ノードＢよりも前記ホームノードＢに、前記ＵＥに対する接続を優先させる階層構造内に組織することと、
前記階層構造のうちの１つに基づいて、前記ＵＥと、前記ホームノードＢおよび前記ノードＢのうちの少なくとも１つとの間に接続を確立することとを含む方法。
［２５］
ホームノードＢのシステム情報ブロック（ＳＩＢ）に関連したデータの一部と、ノードＢのＳＩＢに関連したデータの一部とを送信することと、
前記データの一部に基づいて、前記ＵＥと、前記ホームノードＢおよび前記ノードＢとのうちの少なくとも１つとの間に接続を確立することとをさらに含む上記［２４］記載の方法。
［２６］
ホームノードＢに関連した公衆陸上移動ネットワーク識別（ＰＬＭＮＩＤ）と、ノードＢに関連したＰＬＭＮ ＩＤとを伝達することと、
前記ホームノードＢに関連したＰＬＭＮＩＤと、前記ノードＢに関連したＰＬＭＮ ＩＤとのうちの１つに基づいて、前記ＵＥと、前記ホームノードＢおよび前記ノードＢのうちの少なくとも１つとの間に接続を確立することとをさらに含む上記［２４］記載の方法。
［２７］
ホームノードＢに対する位置領域コード（ＬＡＣ）の割当てと、ノードＢに対するＬＡＣの割当てとを伝達することと、
前記ホームノードＢに対するＬＡＣの割当てと、前記ノードＢに対するＬＡＣの割当てとのうちの１つに基づいて、前記ＵＥと、前記ホームノードＢおよび前記ノードＢのうちの少なくとも１つとの間に接続を確立することをさらに含む上記［２４］記載の方法。
［２８］
ワイヤレス通信装置において、
ホームノード基地局（ホームノードＢ）に関係し、接続のためのホームノードＢを識別する検出通知を、ユーザ機器（ＵＥ）から受信し、
少なくとも１つのノード基地局（ノードＢ）と、前記少なくとも１つのホームノードＢとを、前記ノードＢよりも前記ホームノードＢに、前記ＵＥに対する接続を優先させる階層構造内に組織し、
前記階層構造のうちの１つに基づいて、前記ＵＥと、前記ホームノードＢおよび前記ノードＢのうちの少なくとも１つとの間に接続を確立する、
ように構成されている少なくとも１つのプロセッサと、
前記少なくとも１つのプロセッサに結合されているメモリとを具備するワイヤレス通信装置。
［２９］
ＬＡＣの割当てと、ＰＬＭＮ ＩＤと、ＳＩＢとのうちの少なくとも１つを活用して、前記ＵＥと、前記ホームノードＢおよび前記ノードＢのうちの少なくとも１つとの間に接続を確立するように構成されている少なくとも１つのプロセッサをさらに具備する上記［２８］記載のワイヤレス通信装置。
［３０］
ワイヤレス通信装置において、
第１のＵＥから、検出されたホームノード基地局（ホームノードＢ）に関連した通知を受信する手段と、
前記検出されたホームノードＢに関連した情報を第２のＵＥに伝達する手段と、
前記検出されたホームノードＢに関連したデータの一部を活用して、前記ホームノードＢをノードＢと区別する手段と、
前記データの一部に基づいて、前記ホームノードＢと、前記ノードＢとのうちの少なくとも１つに前記ＵＥが接続することを可能にする手段とを具備するワイヤレス通信装置。
［３１］
前記データの一部は、ホームノードＢに対するＳＩＢと、ノードＢに対するＳＩＢとのうちの少なくとも１つである上記［３０］記載のワイヤレス通信装置。
［３２］
前記ホームノードＢに対するＳＩＢは、前記ノードＢに対するＳＩＢよりも接続に対して優先される上記［３０］記載のワイヤレス通信装置。
［３３］
前記データの一部は、マクロネットワークに対するＰＬＭＮ ＩＤと、ホームノードＢに対するＰＬＭＮ ＩＤとのうちの少なくとも１つである上記［３０］記載のワイヤレス通信装置。
［３４］
前記ホームノードＢに対するＰＬＭＮ ＩＤは、マクロネットワークに対するＰＬＭＮ ＩＤよりも接続に対して優先される上記［３０］記載のワイヤレス通信装置。
［３５］
前記データの一部は、ホームノードＢに対するＬＡＣと、ノードＢに対するＬＡＣとのうちの少なくとも１つである上記［３０］記載のワイヤレス通信装置。
［３６］
前記ホームノードＢに対するＬＡＣは、前記ノードＢに対するＬＡＣよりも接続に対して優先される上記［３０］記載のワイヤレス通信装置。
［３７］
コンピュータプログラムプロダクトにおいて、
少なくとも１つのコンピュータに、ユーザ機器（ＵＥ）から、ホームノード基地局（ホームノードＢ）に関係する検出通知を受信させるためのコードであって、前記検出通知は、接続のためのホームノードＢを識別するコードと、
少なくとも１つのコンピュータに、少なくとも１つのノード基地局（ノードＢ）と、前記少なくとも１つのホームノードＢとを、前記ノードＢよりも前記ホームノードＢに、前記ＵＥに対する接続を優先させる階層構造内に組織させるためのコードと、
少なくとも１つのコンピュータに、前記階層構造のうちの１つに基づいて、前記ＵＥと、前記ホームノードＢおよび前記ノードＢのうちの少なくとも１つとの間の接続を可能にさせるためのコードと、
を備えるコンピュータ読取り可能媒体と、
少なくとも１つのプロセッサに結合されているメモリとを具備するコンピュータプログラムプロダクト。
［３８］
少なくとも１つのコンピュータに、ＬＡＣの割当てと、ＰＬＭＮ ＩＤと、ＳＩＢとのうちの少なくとも１つを活用して、前記ＵＥと、前記ホームノードＢおよび前記ノードＢのうちの少なくとも１つとの間の接続を可能にさせるためのコードを備えるコンピュータ読取り可能媒体をさらに具備する上記［３７］記載のコンピュータプログラムプロダクト。
［３９］
装置において、
ユーザ機器（ＵＥ）から、検出されたホームノード基地局（ホームノードＢ）を受信する受信機モジュールと、
階層構造を利用して、少なくとも１つのノード基地局（ノードＢ）と、少なくとも１つの検出されたホームノードＢとを組織するモジュールであって、前記階層構造は、ノードＢよりも前記検出されたホームノードＢを優先させるオーガナイザーモジュールと、
前記ＵＥにデータの一部を伝達するモジュールであって、前記データの一部は、ホームノードＢに対するＳＩＢと、ノードＢに対するＳＩＢと、ホームノードＢに対するＰＬＭＮ ＩＤと、ノードＢに対するＰＬＭＮ ＩＤと、ホームノードＢに対するＬＡＣと、ノードＢに対するＬＡＣとのうちの少なくとも１つである送信機モジュールとを具備する装置。
［４０］
前記伝達されたデータの一部に基づいて、前記ＵＥは、前記検出されたホームノードＢと、前記ノードＢとのうちの少なくとも１つに接続する上記［３９］記載の装置。